(57)【要約】【課題】表面の経年劣化のおそれがほとんどなく、表面保守の必要性の低い樋支持具を提供する。【解決手段】樋Ｔを支持する樋支持具本体１０と、軒先、壁面等の構造物に取付、固定する取付部３０とよりなる樋支持具１において、少なくとも樋支持具本体１０の基材表面であって、衝撃が加わる箇所を除き、施工後に外観上露出される部分にホーロー被膜が形成されている。【選択図】図１
2010121419.tif 000002
【特許請求の範囲】
【請求項１】
樋を支持する樋支持具本体と、軒先、壁面等の構造物に取付、固定する取付部とよりなる樋支持具において、
少なくとも上記樋支持具本体の基材表面であって、衝撃が加わる箇所を除き、施工後に外観上露出される部分にホーロー被膜が形成されていることを特徴とする樋支持具。
【発明の詳細な説明】
【技術分野】
【０００１】
本発明は、軒樋、竪樋等の雨樋を軒先や壁面等に固定して支持する樋支持具に関するものである。
【背景技術】
【０００２】
従来の樋支持具として、軒樋を軒先の垂木等に固定して支持するもの、または竪樋を壁面等に固定して支持するものが知られている。
【０００３】
これらの樋支持具は、ステンレス材、鋼材等の金属や樹脂で製されていることが通例であるが（例えば、特許文献１を参照）、近年では、デザイン性を考慮して、雨樋や建物に合わせて、素材の表面に色・柄塗装を施した樋支持具も使用されている。
【特許文献１】特開２００７−６３８０１号公報
【発明の開示】
【発明が解決しようとする課題】
【０００４】
しかしながら、金属や樹脂の表面に塗装を施した場合、経年劣化により変色、剥離するという問題があり、定期的あるいは不定期な再塗装等のメンテナンスの必要がある。
【０００５】
また、上記文献では、そのような表面塗装の経年劣化という問題を考慮して、着脱自在なカバー体で樋支持具本体を覆うことが提案されているが、そのカバー体自体の表面が劣化するおそれもあり、その場合には当然にカバー体を交換する必要があり、よって定期的あるいは不定期な費用のかさむメンテナンスの必要がある。
【０００６】
本発明は、このような事情を考慮して提案されたもので、その目的は、おもにデザイン性を有した樋支持具において、表面の経年劣化のおそれがほとんどなく、表面保守の必要性の低い樋支持具を提供することにある。
【課題を解決するための手段】
【０００７】
上記目的を達成するために、請求項１に記載の樋支持具は、樋を支持する樋支持具本体と、軒先、壁面等の建物構造物に取付、固定する取付部とよりなる樋支持具において、少なくとも樋支持具本体の基材表面であって、加工、打撃対象となる箇所を除き、施工後に外観上露出される部分にホーロー被膜が形成されていることを特徴とする。
【発明の効果】
【０００８】
請求項１に記載の樋支持具によれば、少なくとも樋支持具本体の基材表面の施工後に外観上露出される部分にホーロー被膜が形成されているので、表面が経年により色あせることはなく、再塗装等のメンテナンスの必要性がほとんどない。雨樋や建物の色等に合わせて樋支持具に色・柄を施す場合に、特に有効である。
【０００９】
また、樋支持具本体のうち、曲げ等の加工箇所や、釘等の固定具の打ち付け対象となる打撃箇所等の衝撃対象部位を除外してホーロー被膜を形成しているため、ホーロー被膜の形成後、例えば施工時の加工や打撃によって被膜が剥離するおそれはなく、かつ、ホーロー被膜は経年劣化するおそれがないので、半永久的に外観を保持できる。
【発明を実施するための最良の形態】
【００１０】
以下に、本発明の種々の実施形態について、添付図面を参照しながら説明する。以下の第１の実施形態は軒樋を支持する樋支持具を対象としたもの、第２の実施形態は竪樋を支持する樋支持具を対象としたものであり、それぞれの実施形態について、複数の実施例を示している。なお、いずれの樋支持具も、主たる素材はステンレス等の金属とされる。
【００１１】
図１は、第１の実施形態に係る樋支持具の第１例を示した図であり、図１（ａ）は正面図、図１（ｂ）は斜視図である。
【００１２】
本樋支持具１は、軒先等に設置される樋Ｔを下方より受けて支持する受式の樋支持具本体１０と、その樋支持具本体１０の端部より延び、軒先等の構造物に取り付け、固定される取付部３０とよりなる。
【００１３】
樋支持具本体１０は帯状板体を樋Ｔの外形に沿うように湾曲加工してなり、その湾曲部１１の一方の端部でひねり加工されて、そこから平板状に延び、取付孔３１が開設された取付部３０が形成されており、その取付部３０が家屋の軒先の垂木Ｋの側面に釘、ねじ等の固定具３で固着されて、固定されている。なお、樋支持具本体１０には、長手方向に沿って外側に突出した補強用リブ１１ａが形成されている。
【００１４】
本例に示した樋支持具１では、図１の範囲矢印Ａで示すように、樋支持具本体１０の基材表面のうち施工後に外観上露出される部分、つまり施工後に下方を向く、補強用リブ１１ａを含む湾曲凸面１１ｂと、取付部３０のうち樋支持具本体１０の近傍部分とにはホーロー被膜が形成されている。
【００１５】
ホーロー被膜は、二酸化珪素を主成分とするガラス質の釉薬を窯や電気炉等で、高温で焼成して基材表面に形成したもので、耐久性、耐酸性、耐食性、耐摩耗性、保湿性があり、美しい色合いとガラス様の光沢を表出することができる。また、例えば七宝焼きのごとく、装飾模様を形成することもできる。そして、その被膜はガラス質であるため、化学反応を起こさず、変色等の経年劣化するおそれはない。また、着色のためにチタン等の金属を含有させてもよい。
【００１６】
このように、樋支持具１は基材表面にホーロー被膜が形成されているので、色あせ、さび等の経年劣化を惹起するおそれがなく、ガラス様、エナメル様の美観にすぐれた表面を半永久的に維持させることができる。例えば、雨樋や建物等に合わせて目立たないように形成したホーロー被膜や、逆に色、柄、模様を施して装飾性を持たせたホーロー被膜を施した場合でも、経年による再塗装の必要性はない。したがって、樋支持具１の基材表面のメンテナンスは汚れを拭き取る程度でよく、ほとんど手間がかからない。
【００１７】
また、ホーロー被膜は、建物への取り付けに際して曲げ加工したり固定具３止めしたりする箇所や、取り付け後に樋との擦れが生じる箇所には形成しないほうが望ましく、そのような箇所を除外して被膜形成することで、加工、打撃等の基材への衝撃によって被膜が剥離することを防止できる。
【００１８】
図１の例では、取付部３０のうち前方の取付孔３１近傍は外部に露出される可能性があるが、固定具３止めによる衝撃が付加されるため、この部分はホーロー被膜を形成しないほうが望ましい。なお、例えば人目に付きやすい樋支持具本体１０の湾曲部１１の湾曲凸面１１ｂだけにホーロー被膜を形成してもよい。
【００１９】
図２は、第１の実施形態に係る樋支持具の第２例を示した正面図である。
【００２０】
本樋支持具１は、軒先等に設置される樋Ｔを下方より受けて支持する樋支持具本体１０と、屋根（の基礎板）の先端を圧入して軒先等の構造物に取り付け、固定される取付部３０とよりなり、それらは別体で構成され、連結位置を調節可能に調節ねじ３３ｂによって連結されている。
【００２１】
樋支持具本体１０は、帯状板体を樋Ｔの外形に沿うように湾曲加工してなり、一方の端部には樋Ｔの幅方向の一方の端部を係合する係合凹部１３を備えるとともに、他方の端部には、施工時に爪片１２ａを曲げて樋Ｔの幅方向の他方の端部を湾曲部１１との間に挟み込み係止する係止部１２を備えている。
【００２２】
また、取付部３０は２枚の板片間に屋根を圧入させて仮固定され、釘、ビス等で固定される固定部３２と、上下方向に長孔３３ａを有した脚部３３とよりなり、その脚部３３の適所と、上記樋支持具本体１０の係合凹部１３に対応して裏側に突出した突出部１３ａとが調節ねじ３３ｂで固定される。
【００２３】
すなわち、このような構造によれば、図２において２点鎖線で図示するように、樋支持具本体１０の上下方向の調節が可能となっており、この連結位置によって樋Ｔの水勾配を調整することができる。
【００２４】
本例に示した樋支持具１では、図２の範囲矢印Ｂで示すように、樋支持具本体１０の基材表面のうち施工後に外観上露出される部分、つまり施工後に下方を向く、補強用リブ１１ａを含む湾曲凸面１１ｂにホーロー被膜が形成されている。
【００２５】
すなわち、ホーロー被膜は、樋支持具本体１０のうち、施工後に外観上露出されない雨樋支持面および係合凹部１３には形成されず、また爪片１２ａを含む係止部１２は施工後に一部露出するが施工の際に加工により衝撃が加わるため、ホーロー被膜は形成されていない。
【００２６】
図３（ａ）、（ｂ）は第１の実施形態に係る樋支持具の第３、第４例を示した正面図である。
【００２７】
図３（ａ）の樋支持具１は、樋支持具本体１０と取付部３０とを連結してなり、取付部３０を垂木（本図では不図示）の前方面に打ち込んで固定されるようになっている。
【００２８】
樋支持具本体１０は、帯状板体を樋Ｔの外形に沿うように湾曲加工してなり、一方の端部には樋Ｔの幅方向の一方の端部を係合する係合凹部１３を備えるとともに、他方の端部には、施工時に湾曲部１１より延設してなる爪片１２ａを曲げて樋Ｔの幅方向の他方の端部を湾曲部１１との間に挟み込み係止する係止部１２を備えている。
【００２９】
取付部３０は、樋支持具本体１０の湾曲凸面１１ｂの最下位置に固着された連結部３４と、その連結部３４の下端よりやや上方に傾斜して延出された、尖端３５ａを有した打込足３５とを備えている。この打込足３５は垂木の勾配に応じて、折曲部３４ａを曲げ調節することで傾斜角度を設定することができる。
【００３０】
なお、この種の樋支持具１は、樋Ｔに勾配をもたせるために、連結部３４の高さ方向の長さを異ならせた複数のものが使用される。
【００３１】
本例に示した樋支持具１では、図３（ａ）の範囲矢印Ｃで示すように、樋支持具本体１０の基材表面のうち施工後に外観上露出される部分、つまり施工後に下方を向く、補強用リブ１１ａを含む湾曲凸面１１ｂと、取付部３０の連結部３４のうち、折曲部３４ａとその近傍を除く上側部分とにホーロー被膜が形成されている。
【００３２】
すなわち本例においても、ホーロー被膜は、樋支持具本体１０のうち、施工後に外観上露出されない雨樋支持面および係合凹部１３には形成されず、爪片１２ａを含む係止部１２は施工後に一部露出するが施工の際に加工により衝撃が加わるため、ホーロー被膜は形成されていない。また、取付部３０については、折曲部３４ａは加工による衝撃があるため被膜は形成されず、打込足３５は垂木に打ち込まれるため被膜は形成されていない。
【００３３】
図３（ｂ）の樋支持具１は、樋支持具本体１０と取付部３０とよりなり、取付部３０が壁面に固定されるようになっている。
【００３４】
樋支持具本体１０は、帯状板体を樋Ｔの外形に沿うように湾曲加工してなり、一方の端部には樋Ｔの幅方向の一方の端部を係合する、他部材を端部に固着して形成された係合凹部１３を備えるとともに、他方の端部には、施工時に爪片１２ａを曲げて樋Ｔの幅方向の他方の端部を湾曲部１１との間に挟み込み係止する係止部１２を備えている。
【００３５】
取付部３０は、係合凹部１３を設けた樋支持具本体１０の端部より水平に延びた連設部３６と、その連設部３６の端部の折曲部３６ａより垂下した取付片３７とを備えている。この取付片３７は、固定部材３８とリベット等により固着され、壁面に釘やビス等で固定される。また、この取付片３７は折曲部３６ａより垂下形成されているが、軒先面の傾斜に応じて、折曲部３６ａの曲げ角度を調節して、取付片３７を図中の矢印Ｘのいずれかの方向に傾斜させて調節することができる。
【００３６】
本例に示した樋支持具１では、図３（ｂ）の範囲矢印Ｄで示すように、樋支持具本体１０の基材表面のうち施工後に外観上露出される部分、つまり施工後に下方を向く、補強用リブ１１ａを含む湾曲凸面１１ｂと、取付部３０の連設部３６のうち樋支持具本体１０近傍の部分とにホーロー被膜が形成されている。
【００３７】
すなわち本例においても、ホーロー被膜は、樋支持具本体１０のうち、施工後に外観上露出されない雨樋支持面および係合凹部１３には形成されず、爪片１２ａを含む係止部１２は施工後に一部露出するが施工の際に折り曲げ加工により衝撃が加わるため、ホーロー被膜は形成されていない。また、取付部３０については、壁面へ固定する際、勾配に応じて折曲部３６ａを曲げ調節することで傾斜角度を設定し、また釘打ち等による衝撃があるため被膜は形成されず、取付片３７は施工後にはほとんど露出されないため、また固定部材３８と軒先との間に挟み込み固定される際に衝撃を受けるおそれがあるため、ホーロー被膜は形成されていない。
【００３８】
以上の図１〜図３に関する実施例では、ホーロー被膜を形成する軒樋用の樋支持具１として、樋Ｔを受け支持する受式タイプのものを説明したが、吊り支持する吊り式タイプのものにも適用が可能であることはいうまでもない。吊り式タイプの樋支持具では、少なくとも樋支持具本体の基材表面であって、加工、打撃による衝撃対象部位を除き、施工後に外観上露出される部分にホーロー被膜が形成される。
【００３９】
ついで、竪樋用の樋支持具に関する実施形態である第２の実施形態について説明する。
【００４０】
図４は、第２の実施形態に係る樋支持具の第１例を示した図であり、図４（ａ）は平面図、図４（ｂ）は斜視図である。
【００４１】
本樋支持具２は、壁面等に設置される円筒状の樋Ｔを支持する環状の樋支持具本体５０と、壁面に固定する取付部７０とよりなる。
【００４２】
樋支持具本体５０は、半円状の本体部５１と、その一端に回動可能にヒンジ結合され、本体部５１の他方の一端と係合により開閉自在とした半円状の蓋部５２とを備え、本体部５１と蓋部５２とで円筒状の樋Ｔを挟み込みして、係合部５４で係合できる構造となっている。なお、本体部５１および蓋部５２の適所には、補強用リブ５１ａ、５２ａが形成されている。
【００４３】
取付部７０は、尖端７１ａを有した棒状体７１よりなり、樋支持具本体５０の本体部５１の中央位置に固着されている。樋支持具２は、この取付部７０が壁面に打ち込まれて固定される。
【００４４】
本例に示した樋支持具２では、図４（ａ）の範囲矢印Ｅで示すように、樋支持具本体５０の基材表面のうち施工後に外観上露出される蓋部５２の外側面にホーロー被膜が形成されている。
【００４５】
すなわち本例においては、ホーロー被膜は、樋支持具本体５０のうち、蓋部５２の内面には形成されず、また取付部７０にも被膜は形成されていない。また、樋支持具本体５０の本体部５１の中央位置に固着されている取付部７０が壁面へ打ち込まれる際には、本体部５１の中央位置付近をハンマー等で打撃されるから、本体部５１の内外両面にはホーロー被膜はされていない。さらに、蓋部５２のうち本体部５１とのヒンジ結合部５３は回動による擦れが生じるため、また蓋部５２のうち本体部５１の係合突部５１ｂとの係合孔５２ｂ近傍は、本体部５１の係合突部５１ｂにより押圧されたり、擦れたりするため、それらの部分にはホーロー被膜は形成されていない。
【００４６】
なお、本例のように本体部５１と蓋部５２がともに略同長さで半円状に形成された樋支持具本体５０では、蓋部５２の外側面にのみホーロー被膜が形成されると、表面の光沢が本体部５１と蓋部５２とで異なるが、蓋部を本体部より長い円弧で形成すれば、本体部の外面が目立たず、美観を損ねることはない。
【００４７】
図５は、第２の実施形態に係る樋支持具の第２例を示した図であり、図５（ａ）は平面図、図５（ｂ）は斜視図である。
【００４８】
本樋支持具２は、円筒状の大型の樋Ｔを支持する環状の樋支持具本体５０と、壁面に固定する取付部７０とよりなる。
【００４９】
樋支持具本体５０と取付部７０とは、２つの板状部材を組み合わせてなり、それぞれの板状部材は半円状の湾曲部５５、５５と、２つの取付孔７２ａ、７２ａを有した平板部７２とを備えており、湾曲部５５、５５の端部どうしを、相互に回動可能となるようにヒンジ結合してなる。なお、湾曲部５５、５５適所には、補強用リブ５５ａ、５５ａが形成されている。
【００５０】
樋Ｔは、図５（ｂ）に示すように、樋支持具本体５０を構成する両湾曲部５５、５５で挟み込みされ、樋支持具２は、取付部７０を構成する両平板部７２、７２で、壁面などに取り付けた固定部材７５の突出片７６を挟み込んで固定される。より具体的には、この固定部材７５の突出片７６には、取付部７０の２つの取付孔７２ａ、７２ａに対応した２つの長孔７６ａ、７６ａが形成されており、取付部７０を構成する両平板部７２、７２と、それらに挟まれる固定部材７５の突出片７６とは、重なり合う孔にボルト４を通してナット５止めして固定される。
【００５１】
本例に示した樋支持具では、図５（ａ）の範囲矢印Ｆで示すように、樋支持具本体５０の基材表面のうち施工後に外観上露出される両湾曲部５５、５５の外側面であって、回動によって擦れ、加圧等の衝撃が加わるヒンジ結合部５６を除く部分にホーロー被膜が形成されている。
【００５２】
以上に説明した第１、第２の実施形態では、ホーロー被膜を樋支持具の一部の表面に形成させたものを例示したが、加工や打撃等の衝撃が加わらないものであれば、ホーロー被膜を全体に形成してもよい。
【図面の簡単な説明】
【００５３】
【図１】本発明の第１の実施形態に係る樋支持具の第１例を示した図であり、図１（ａ）は正面図、図１（ｂ）は斜視図である。
【図２】第１の実施形態に係る樋支持具の第２例を示した正面図である。
【図３】（ａ）、（ｂ）は、第１の実施形態に係る樋支持具の第３、第４例を示した正面図である。
【図４】本発明の第２の実施形態に係る樋支持具の第１例を示した図であり、（ａ）は平面図、（ｂ）は斜視図である。
【図５】第２の実施形態に係る樋支持具の第２例を示した図であり、（ａ）は平面図、（ｂ）は斜視図である。
【符号の説明】
【００５４】
（第１の実施形態）
Ｔ      樋
１      （軒樋用の）樋支持具
１０      樋支持具本体
１１      湾曲部
１１ａ      補強用リブ
１１ｂ      湾曲凸面
１２      係止部
１２ａ      爪片
１３      係合凹部
１３ａ      突出部
３０      取付部
３１      取付孔
３２      固定部
３３      脚部
３３ａ      長孔
３３ｂ      調節ねじ
３４      連結部
３４ａ      折曲部
３５      打込足
３５ａ      尖端
３６      連設部
３７      取付片
３８      固定部材
Ａ、Ｂ、Ｃ、Ｄ      ホーロー被膜を施す範囲
（第２の実施形態）
Ｔ      樋
２      （竪樋用の）樋支持具
５０      樋支持具本体
５１      本体部
５１ａ      補強用リブ
５１ｂ      係合突部
５２      蓋部
５２ａ      補強用リブ
５２ｂ      係合孔
５３      ヒンジ結合部
５４      係合部
５５      湾曲部
５５ａ      補強用リブ
５６      ヒンジ結合部
７０      取付部
７１      棒状体
７１ａ      尖端
７２      平板部
７２ａ      取付孔
Ｅ、Ｆ      ホーロー被膜を施す範囲
【図１】
2010121419.tif 000003
【図２】
2010121419.tif 000004
【図３】
2010121419.tif 000005
【図４】
2010121419.tif 000006
【図５】
2010121419.tif 000007